(57)【要約】【課題】決めた方向に適量の気体や極細径の液体を搬送することが出来る気液搬送装置を提供する。【解決手段】気体や極細径の液体を収納する加圧室３１と、加圧室３１に開孔された排出口３３と、排出口と対向する位置に設けられ、加圧室３１内の体積を変動させる駆動装置１００と、駆動装置１００を制御する制御回路４３を備え、駆動装置１００によって加圧室３１内の気体や極細径の液体を排出口３３から塊の状態で加圧室３１外へ放出して任意エリアに搬送する気液搬送装置において、駆動装置１００は、制御回路４３からの入力電力を受けるコイル１５と、コイル１５が巻設されたボビン１４と、コイル１５の周囲に磁力場を発生させる磁力発生部と、ボビン１４の一端側に設けられた振動板１７と、振動板１７と接着され振動板１７を保持してなる大径略異形エッジ２０と、大径略異形エッジ２０の一端及び磁力発生部とを保持するフレーム１９で構成する。【選択図】図４
2010240616.tif 000002
【特許請求の範囲】
【請求項１】
気体や極細径の液体を収納する加圧室と、該加圧室に開孔された排出口と、該排出口と対向する位置に設けられ、前記加圧室内の体積を変動させる駆動手段と、該駆動手段を制御する信号発信手段を備え、前記駆動手段によって前記加圧室内の気体や極細径の液体を前記排出口から塊の状態で該加圧室外へ放出して任意エリアに搬送する気液搬送装置において、
前記駆動手段は、前記発信信号手段からの入力電力を受けるコイルと、該コイルが巻設されたボビンと、前記コイルの周囲に磁力場を発生させる磁力発生部と、前記ボビンの一端側に設けられた振動板と、該振動板に接着され前記振動板を保持してなるエッジ部と、該エッジ部の一端及び前記磁力発生部とを保持するフレームで構成したことを特徴とする気液搬送装置。
【請求項２】
前記コイルは、前記ボビンの略全長に亘り巻設することを特徴とする請求項１記載の気液搬送装置。
【請求項３】
前記振動板は、前記ボビンの径と同一径若しくは前記ボビンの径よりも小さくしたことを特徴とする請求項１又は請求項２記載の気液搬送装置。
【請求項４】
前記振動板は、ゴム、シリコンなどの粘性を有する材料で形成したことを特徴とする請求項１〜３のいずれかに記載の気液搬送装置。
【請求項５】
前記ボビンと前記振動板は、乾燥後も粘性を有するエポキシ、或いはシリコン、又はゴム系の材料を含んだ接着剤によって接合されていることを特徴とする請求項１〜４のいずれかに記載の気液搬送装置。
【請求項６】
前記エッジ部は、前記振動板の直径以上の半径又は１０ｍｍ以上の半径を有する略半円構造を有していることを特徴とする請求項１〜５のいずれかに記載の気液搬送装置。
【請求項７】
前記エッジ部は、前記振動板への固定部と、前記フレームへの固定部を有し、前記振動板への固定部は前記フレームへの固定部よりも低い位置関係となるように、前記ボビンを保持することを特徴とする請求項６記載の気液搬送装置。
【請求項８】
前記エッジ部は、ゴム、エラストマ、表面処理を施した布などで成型したことを特徴とする請求項６又は請求項７記載の気液搬送装置。
【請求項９】
前記排出口の開孔面積は、前記エッジ部と前記振動板の表面積の和に対し、１／３から１／４の範囲の表面積としたことを特徴とする請求項６〜８のいずれかに記載の気液搬送装置。
【請求項１０】
前記排出口は、前記駆動手段の中心軸と略一致する軸上に構成することを特徴とする請求項１〜９のいずれかに記載の気液搬送装置。
【請求項１１】
前記排出口の端部に、面取り処理を行うことを特徴とする請求項１〜１０のいずれかに記載の気液搬送装置。
【請求項１２】
前記面取り処理は、板厚を半径としたＲで処理されていることを特徴とする請求項１１記載の気液搬送装置。
【請求項１３】
前記信号発信手段から前記コイルへの入力信号は、１Ｈｚ以下の片波形入力信号であり、該片波形入力信号は印加初めに急峻に入力電圧が立上る立上り工程と、その後、所定時間のうちに入力電圧を徐々に減衰させる立下り工程を有することを特徴とする請求項１〜１２のいずれかに記載の気液搬送装置。
【請求項１４】
前記加圧室内の前記駆動手段の前面側の形状を、前記排出口に向けて所定の半径を複数有するカーブを有するロート状にしたことを特徴とする請求項１〜１３のいずれかに記載の気液搬送装置。
【請求項１５】
前記加圧室は、前記駆動手段と該駆動手段を収納するキャビネットの一部によって構成され、該キャビネットの前記加圧室を構成する以外の壁面に、該キャビネット内外を連通する息抜き孔を備えたことを特徴とする請求項１〜１４のいずれかに記載の気液搬送装置。
【発明の詳細な説明】
【技術分野】
【０００１】
本発明は、室内及び室外の任意エリアに対して、気体や極細径の液体を気相中に搬送する気液搬送装置に関するものである。
【背景技術】
【０００２】
従来から、ある一面に開口を備えた箱内に気体や極細径の液体を充満させ、該箱を人間が叩いて箱内の体積を瞬間的に小さくすることによって箱内の気体や極細径の液体を開口から放出し、室内及び室外の任意空間上に放射させるものがあった。そして、上記「叩く」という作業を箱外に設けられたソレノイドによって行う技術が知られている（例えば、特許文献１）。
また、箱内に設置した作動部をアクチュエータで可動させることにより直接箱を叩かないでも箱内の気体や極細径の液体を搬送する技術が知られている。（例えば、特許文献２）
【先行技術文献】
【特許文献】
【０００３】
【特許文献１】特許第３６７５２０３号（第２４図）
【特許文献２】特開２００７−２３７８０３号公報（第３図）
【発明の概要】
【発明が解決しようとする課題】
【０００４】
しかしながら、上記の従来技術では、ソレノイドやアクチュエータによって箱内の体積を小さくしている為、ソレノイドやアクチュエータを駆動した後に箱や作動部に不要な振動が発生することがあり、これによって一度の駆動によって搬送する気体や極細径の液体の量が安定しないという問題が生じていた。また、該不要な振動によって、気体や極細径の液体の放出される方向がずれてしまうという問題も生じていた。
【０００５】
本発明は、以上のような問題を解決するためになされたもので、決めた方向に適量の気体や極細径の液体を搬送することが出来る気液搬送装置を提供するものである。
【課題を解決するための手段】
【０００６】
上記課題を解決するために、本発明の気液搬送装置は、気体や極細径の液体を収納するキャビネットと、該キャビネットに開孔された排出口と、該排出口と対向する位置に設けられ、前記キャビネット内の体積を変動させる駆動手段と、該駆動手段を制御する信号発信手段を備え、前記駆動手段によって前記キャビネット内の気体や極細径の液体を前記排出口から塊の状態で放出して任意エリアに搬送する気液搬送装置において、前記駆動手段は、前記発信信号手段からの入力電力を受けるコイルと、該コイルが巻設されたボビンと、前記コイルの周囲に磁力場を発生させる磁力発生部と、前記ボビンの一端側に設けられた振動板と、該振動板に接着され前記振動板を保持してなるエッジ部と、該エッジ部の一端及び前記磁力発生部とを保持するフレームで構成したことを特徴とする。
【発明の効果】
【０００７】
これにより、本発明は、振動板を変動させた後の不要な振動を抑制することができ、これにより、室内及び室外の任意空間に対して、気体や極細径の液体を安定的に搬送する事が可能となる。また、不要な振動を抑制することにより、異音の発生を防ぐことができる。
【図面の簡単な説明】
【０００８】
【図１】本発明の実施の形態１の気液搬送装置に搭載される駆動装置の概略図である。
【図２】本発明の実施の形態１の気液搬送装置に搭載される駆動装置の断面図である。
【図３】本発明の実施の形態１の気液搬送装置に搭載される駆動装置が一方向に駆動したときの概略図である。
【図４】本発明の実施の形態１の気液搬送装置の概略断面図である。
【図５】本発明の実施の形態１の気液搬送装置における制御回路から発信される信号の時間波形図である。
【図６】本発明の実施の形態１の気液搬送装置における駆動装置の駆動量と空気の搬送距離との距離特性図である。
【図７】本発明の実施の形態２の気液搬送装置の概略断面図である。
【発明を実施するための形態】
【０００９】
実施の形態１．
以下、本発明の実施の形態１を図面に基づいて説明する。
図１は本発明の実施の形態１の気液搬送装置に搭載される駆動装置の概略図であり、図２は本発明の実施の形態１の気液搬送装置に搭載される駆動装置の概略図であり、図３は本発明の実施の形態１の気液搬送装置に搭載される駆動装置が一方向に駆動したときの概略図であり、図３は本発明の実施の形態１の気液搬送装置の概略断面図であり、図４は本発明の実施の形態１の気液搬送装置における制御回路から発信される信号の時間波形図であり、図５は本発明の実施の形態１の気液搬送装置における駆動装置の駆動量と空気の搬送距離との距離特性図であります。なお、図１〜４における各構成部材の大きさの関係は一例であり、これに限ったものではない。
【００１０】
本発明の気液搬送装置における駆動装置１００について、図１〜３を用いて説明する。図１及び図２において、１０は駆動装置１００の最底面となるヨーク、１１はヨーク１０の中心部に円柱状に成型されたセンターポール、１２はセンターポール１１の周囲にある程度の隙間をあけて設けてヨーク１０に固定された磁性を有するマグネット、１３はマグネット１２の上面に固着して成るプレートである。ここで、マグネット１２は、ネオジウム、サマリウムコバルト、フェライト、アルニコなど強力な磁性を継続的に有することができる素材を用いて構成され、図２に示すように上方にＳ極、下方にＮ極を有している。また、ヨーク１０、センターポール１１、プレート１３は金属材料で構成されており、マグネット１２のＮ極と接続しているヨーク１０、センターポール１１はＮ極、マグネット１２のＳ極と接続しているプレート１３はＳ極となっている。
１４は非金属の管状で構成されセンターポール１１に遊嵌されたボビン、１５は銅線をボビン１４周囲に巻きつけて形成されたコイル、１６はコイル１５に電力を供給するための導線であり、コイル１５はボビン１４の略周面全面を覆うように巻かれて形成されている。
上記のように構成された駆動装置１００は、センターポール１１とフレーム１３間に発生する磁力場とコイル１５を流れる電流によって電磁力を発生させて、ボビン１４を図３のように動かしている（フレミングの左手の法則の原理）。
【００１１】
１７はボビン１４の一端に粘性を有する接着層１８を介して接着された振動板であり、振動板１７はボビン１４の外寸径とほぼ同等径もしくはボビン１４の外寸径より小さいものを用いており、気体や極細径の液体がボビン１４に浸入するのを防ぐ役目を成している。
１９は駆動装置１００を適切な位置に固定する機能を有するフレームであり、２０は振動板１７とフレーム１９に接続され振動板１７及び振動板１７に接続されているボビン１４等を保持する大径略異形エッジである。大径略異形エッジ２０は、振動板１７の直径（Ａ）よりも大きい半径（Ｒ１）を有する半円を形成し、振動板１７の変動によって大径略異形エッジ２０全面が振動板１７と同方向に変動するように構成されている。２１は大径略異形エッジ２０を振動板１７に固定している振動板固定部であり、２２は大径略異形エッジ２０をフレーム１９に固定しているフレーム固定部である。ここで、振動板１７は、フレーム固定部２２よりも低い位置になるよう構成されており、振動板１７が変動できる距離を大きくしている。なお、１０１は振動板１７と大径略異形エッジ２０によって構成された振動体であり、振動体１０１はボビン１４の変動に伴って変動し、その周囲にある気体や極細径の液体を押し出す作用を有するものである。
ここで、振動板１７は、一般的なスピーカ装置で用いられている振動板と比べて小面積で且つ大径略異形エッジ２０を半円状に構成することによって、駆動装置１００を駆動したとき、振動板１７を及び大径略異形エッジ２０を大きく変動させることが出来る。
【００１２】
次に、本発明の気液搬送装置について、図４を用いて説明する。
３０は箱状に形成されたキャビネットであり、その内部に駆動装置１００を装着している。なお、キャビネット３０の外観形状は立方体に限らず、製品形態に併せて自由に形状を選ぶことができ、例えば、キャビネット３０を球形状にすることも可能である。３１はキャビネット３０と駆動装置１００の前面側にある振動体１０１によって囲まれた空間のうち、振動体１０１より前方に出来る空間である加圧室、３２は加圧室３１内に気体や極細径の液体を投入するためのチューブやダクトなどの構造体を入れるための投入孔であり、キャビネット３０の任意の位置に投入方法に合わせた開孔径や形状で構成する。３３は加圧室３１の駆動装置１００に対向する面に設けた開孔である排出口であり、排出口３３は加圧室３１内に入れた気体や極細径の液体をキャビネット３０の外に放射させるためのものである。なお、排出口３３は駆動装置１００の中心軸と略一致する軸上の位置に構成しており、これによって排出口３３から気体や極細径の液体を安定的に放射することができる。また、排出口３３の端部３３ａはキャビネット３０板厚を半径としたＲを有する面取りを行っており、これにより、気体や極細径の液体が排出口３３を通過する際の乱流を防ぐことができ、気体や極細径の液体の搬送距離を長くしたり安定的に搬送することが出来る。更に、排出口３３の孔形状は、円形に拘らず、楕円、四角、三角、更には多角形でもよい。
【００１３】
また、排出口３３の開孔面積は、駆動装置１００の振動体１０１の表面積の１／３から１／４の範囲とするものであり、上記面積寸法にすることによって、加圧室３１内の空気圧及びキャビネット３０外の空気の流れなどの影響を受けにくくなり、搬送能力を向上させることが出来る。
【００１４】
４０は駆動装置１００をキャビネット３０の所定位置に固定するための設置部、４１はキャビネット３０と駆動装置１００の前面側にある振動体１０１によって囲まれた空間のうち、振動体１０１より後方に出来る空間である駆動装置用空気室、４２は駆動装置用空気室４１を形成しているキャビネット３０の所定位置に設けられた開孔である息抜き孔である。息抜き孔４３は、駆動装置用空気室４１の圧力を常に外気の圧力と一緒にする為のものであり、これによって振動体１０１が変動する際に駆動装置用空気室４１の圧力によって振動体１０１の動きが阻害されることを防止することが出来る。
また、４３は信号発信手段となる制御回路であり、導線１６を介してコイル１５に電力を供給し、駆動装置１００の動作を制御している。なお、実施の形態１では駆動装置１００と制御回路４３をつなぐ導線１６を、息抜き孔４２を通して制御回路４３に接続されているが、これに限った物でなく別途キャビネット３０に開孔された孔を通して接続させても良い。
また、本発明の実施の形態１では、駆動装置１００をキャビネット３０内に収納して構成し、周囲に放射される駆動装置１００の駆動音を減少させているが、例えば、キャビネット３０の排出口３３と対向する面に大きな開孔を設け、その開孔を塞ぐように駆動装置１００を設けても良い。その際は、駆動装置用空気室４１が形成されないので息抜き孔４３は不要となる。
【００１５】
次に、本発明の実施の形態１における気液搬送装置の動作について図１〜５を用いて説明する。図５は本発明の実施の形態１の気液搬送装置における制御回路から発信される信号の時間波形図である。図５において、横軸は時間、縦軸はコイル１５に入力される入力電圧を示す。なお、駆動装置１００は振動体１０１を前面方向だけに駆動させれば良い構造であるので、信号は一方向（図では＋電圧方向）だけの波形となる。
気液搬送装置の運転が開始されると、最初に極細径の液体を発生させる水蒸気発生装置（図示無し）によって生成された極細径の液体を投入孔３２から加圧室３１内に投入し、加圧室３１内を気体と極細径の液体で充満させる。その後、図５に示すような急峻に立ち上がるような電圧を制御回路４３から導線１６を介してコイル１５に入力され（立上り工程）、コイル１５に流れる電流と周囲の磁力場によって振動体１０１等のコイル１５に接続された部材を前方に押す電磁力を発生させ、急激に移動させる。この振動体１０１の移動によって加圧室３１内の気体及び極細径の液体は急激に圧縮され、振動体１０１と対向する位置に設けられた排出口３３付近の気体及び極細径の液体が排出口３３からキャビネット３０外へ気体の塊となって放出される。塊となって放出された気体及び極細径の液体は塊が発散するまで間、極細径の液体を多く含んだ塊のまま搬送される。これによって、任意の空間を加湿することが可能となる。
【００１６】
その後、制御回路４３は徐々に入力電圧を減少させていき、所定時間後に入力電圧０Ｖとなるような制御をおこなっている（立下り工程）。これにより、コイル１５に電流が流れることによって発生する力は徐々に小さくなっていくので、それに伴い前方に移動した振動体１０１等のコイル１５に接続された部材は、ゆっくりと図１に示すような安定する初期位置に戻る。上記のような一連の動作を所定の間隔をおいて繰り返すことにより、任意の空間を安定的に加湿することが出来る。
【００１７】
ここで、駆動装置１００の立上り工程において、コイル１５への入力電圧の印加を急峻に行うことによって振動体１０１を前方に強力に動かすことができ、これにより、気体や極細径の液体を必要なエリアに常に均一条件で搬送させることができる。
また、制御回路４３からの信号は、立下り工程の後すぐに立上り工程に移行しているので鋸波形となっている。これにより、例えば立上り工程の後に振動体１０１が振動してしまい、その振動によって加圧室３１内にまだ残っている気体及び極細径の液体が排出口３３からキャビネット３０外に排出してしまうのを防ぐことができる。加えて、制御回路４３からの信号は、立下り工程が立上り工程の１０倍以上の時間を持つように制御されているので、立下り工程の後に振動体１０１が振動してしまい、その振動によって加圧室３１内にある気体及び極細径の液体が排出口３３からキャビネット３０外に排出してしまうのを防ぐことができる。上記のような制御を行うことによって、一回で放出される極細径の液体量にバラツキがでるなどの不具合を解消することができる。また、よりより早く加圧室３１内に気体及び極細径の液体を充満させることが出来るようになり、これにより加圧室３１内に気体及び極細径の液体を充満させるのに必要となる所定の間隔を短くすることができるので、結果として任意の空間への加湿速度を速めることができる。加えて、不要な振動が抑制されることによって異音の発生も防止できる。
【００１８】
次に、本発明の実施の形態１の気液搬送装置に搭載されている駆動装置の動作について図１〜６を用いて説明する。図６は本発明の実施の形態１の気液搬送装置における駆動装置の駆動量と空気の搬送距離との距離特性図である。
駆動装置１００は、キャビネット３０に設けられた設置部４０とフレーム１９の一部が接続されて固定しており、制御回路４３から導線１６を介してコイル１５に供給される電力に応じて発生する力を利用して、コイル１５に接続されているボビン１４及びボビン１４と接着層１８を介して接続されている振動板１７、振動板１７と接続されている大径略異形エッジ２０を移動するものである。制御回路４３からは、図５に示すように片側一方の信号を所定の間隔を置いて入力され、それに伴ってコイル１５並びにそれに接続されている振動体１０１等が前後へ繰り返し移動するものである。
【００１９】
図６は、振動板１７の移動距離に対する、気体や極細径の液体の搬送距離を示した図である。図６に示すように、振動板１７の移動距離が１ｍｍの場合、気体や極細径の液体の搬送距離は０.５ｍ程度となり、振動板１７の移動距離が６ｍｍの場合、気体や極細径の液体の搬送距離は１ｍ程度となり、振動板１７の移動距離１２ｍｍの場合、気体や極細径の液体の搬送距離は３ｍ程度となり、気体や極細径の液体の搬送距離は振動板１７の移動距離に略比例する事が分かる。また、振動板１７の移動速度が速いほど、気体や極細径の液体の搬送距離が増加することが分かっている。つまり、振動板１７の移動は、コイル１５に流れる電流とその周囲にある磁力場とによって発生する電磁力を用いているものであり、したがって、磁力場内を通過する電力量を増やしたりコイル１５周囲の磁力場を強めたり、コイル１５が磁力場を受ける範囲を大きくしたりすることによって、気体や極細径の液体の搬送距離が増加という関係を有している。
【００２０】
磁力場を通過する電力量は、例えばコイル１５への入力電力を大きくしたり、コイル１５の巻数を増やしたりすることで大きくすることが出来る。また、コイル１５周囲の磁力場は、コイル１５とセンターポール１１及びコイル１５とプレート１３との距離を近づけたり、マグネット１２の磁力を高めたりすることによって強くすることができる。また、磁力場はプレート１３及びセンターポール１１間にて発生するため、力はコイル１５の下端部１５ａがプレート１３とセンターポール１１間にいるあいだ発生するので、例えばマグネット１２の高さを高くしたり、コイル１５の下端部１５ａをボビン１４の下端いっぱいまで巻いたりすることによってコイル１５が磁力場を受ける範囲を大きくすることが出来る。上記のような構成にすることにより、気体や極細径の液体の搬送距離を伸ばすことが出来る。
なお、通常の音響装置に用いるスピーカの場合、コイル１５がセンターポール１１とプレート１３間で発生する磁力場から外れるとスピーカで発生させた音信号が「歪む」などの問題を有しているため、ボビン１４に必要以上のコイル１５を巻くことは無かった。しかし、気液搬送装置の駆動装置１００として用いる場合は、「歪む」ことによる問題は発生しないので、ボビン１４の略全体にコイル１５を巻いて巻数を増やしてコイル１５が磁力場を受ける範囲を大きくし、気体や極細径の液体の搬送距離を伸ばすことが出来る。
【００２１】
次に、大径略異形エッジ２０について説明する。
大径略異形エッジ２０は、振動板１７の直径（Ａ）よりも大きい半径（Ｒ１）を有する半円を形成し、振動板１７とフレーム１９の間を覆うように設けられており、振動板１７及び振動板に接続されているボビン１４等を保持する役目を有するものである。大径略異形エッジ２０は、水分を通過せず且つ弾力性のある材料（例えばゴム、エラストマ、表面処理を施した布など）で構成されており、搬送を行う気体や極細径の液体が駆動装置１００の内部に侵入するのを防ぐ役目を有している。ここで、図１はコイル１５に入力電力が無い初期状態、図３はコイル１５に電力が入力された状態を示しており、コイル１５に電力が入力されることによりコイル１５に流れる電流と周囲の磁力場によって発生する電磁力によって振動板１７が移動し、それに伴い大径略異形エッジ２０も変形している。
【００２２】
なお、一般の音響信号を再生するスピーカは、聴感的な品質を保持するために、振動板の径が振動板を保持するエッジよりも大きくなるよう構成されている。したがって、駆動信号を受けて振幅した時点で、構造体のいずれかで共振に伴う音が発生することとなる。また、構造体をソレノイド等で加振するものにおいても同様に構造体で共振に伴う音が発生する。特に、一般的なスピーカは振動板で音を発生させるものであるが、本発明による駆動装置１００では振動板１７は音を発生させるものでは無く、発生する音は「異音」であり必要としない。したがって、この異音をなくすために、振動板１７の径（面積）をボビン１４の径と同等もしくはボビン１４の径よりも小型とすることで振動板１５からの音発生を防いでいる。
更に、ボビン１４と振動板１７の接合部分に、乾燥後も粘性を有することが出来る、例えばエポキシやシリコン更にはゴム系の材料が混煉した接着剤による接着層１８を形成する。この接着層１８を形成することにより、振動板１７の振動を吸収すると共に、ボビン１４での振動を振動板１７に伝播させない役目をなす事が出来るので、振動板１７での不要な音（異音）発生を防ぐことが出来る。
【００２３】
また、振動板１７に、ゴム、シリコンなどの粘性を有する材料を用いる事により、振動板１７での不要な音（異音）発生を防ぐという同様の効果を得ることが出来る。
更に、振動板１７を保持している大径略異形エッジ２０を、ゴム、エラストマ、表面処理を施した布など粘性を有する材料で成型することにより、大径略異形エッジ２０そのものでの不要な音（異音）の発生が抑えられる。なお、表面処理を施した布の場合の表面剤としては、ゴムやシリコン系の材料での表面処理を施し、水分の浸透防止機能も備えるよう構成している。また、上記のような材料で形成した大径略異形エッジ２０は弾力性を有しているので、ボビン１４及び振動板１７の振動への阻害影響が少なくなり、結果的に気体や極細径の液体の搬送距離を伸ばすことが出来る。
【００２４】
実施の形態２．
図７は本発明の実施の形態２の気液搬送装置の概略断面図である。なお、図中において実施の形態１と同じ機能を有する部分には同一の符号を付している。以下に、実施の形態２が、実施の形態１と異なる部分を中心に説明する。
実施の形態１では、図４に示すように加圧室３１が略立方体となるよう構成されているが、実施の形態２では加圧室３１の形状を排出口３３に向けて所定の半径を複数有するカーブを組み合わせて形成するロート状に構成している。図７において、７０がロート状風路である。このような構成にすることにより、駆動装置１００を駆動させた際に、加圧室３１に充満された気体や極細径の液体が、ロート状風路７０の滑らかな曲線に沿って層流状態で流れ、排出口３３から放射される。したがって、加圧室３１が立方体では角に気体や極細径の液体が停滞することがあったが、加圧室３１にロート状風路７０を設けることにより気体や極細径の液体をコーナ部分に残留させること無く、キャビネット３０外に放射する事が出来る。
【産業上の利用可能性】
【００２５】
本発明は、気体や極細径の液体を塊の状態で放出して任意エリアに搬送する気液搬送装置において、気体や極細径の液体を安定的に搬送したり搬送距離を伸ばしたりするものであり、例えば、霧化したアロマオイルや特定の臭気や水蒸気等を塊の状態で放出して任意エリアに搬送するものに用いても良いし、空気を塊の状態で放出してマッサージ器として使用するものでも良い。
【符号の説明】
【００２６】
１０  ヨーク、１１  センターポール、１２  マグネット、１３  プレート、１４  ボビン、１５  コイル、１５ａ  下端部、１６  導線、１７  振動板、１８  接着層、１９  フレーム、２０  大径略異形エッジ、２１  振動板固定部、２２  フレーム固定部、３０  キャビネット、３１  加圧室、３２  投入孔、３３  排出口、３３ａ  端部、４０  設置部、４１駆動装置用空気室、４２  息抜き孔、４３  制御回路、１００  駆動装置、１０１  振動体。
【図１】
2010240616.tif 000003
【図２】
2010240616.tif 000004
【図３】
2010240616.tif 000005
【図４】
2010240616.tif 000006
【図５】
2010240616.tif 000007
【図６】
2010240616.tif 000008
【図７】
2010240616.tif 000009